(57)【特許請求の範囲】
【請求項１】
モジュール積層体と形状保持プレートとが重なるように、一対のダイアフラムシートの間にこれらを配置する工程を備え、
前記モジュール積層体は、一部または全体が湾曲したパネル状の形状を有する樹脂製の第１表面部材と、第１封止材と、太陽電池セルと、第２封止材と、第２表面部材とが順に重なり合うようにして構成され、
前記形状保持プレートは、前記第１表面部材の形状に対応する表面形状を有しており、さらに、
一対の前記ダイアフラムシートで前記モジュール積層体と前記形状保持プレートとを挟み込んで前記モジュール積層体にラミネート加工を施す工程と、
一対の前記ダイアフラムシートを離間させたのち、ラミネート加工が施された前記モジュール積層体を前記形状保持プレートから離間させる工程と、を備え、
前記形状保持プレートは、前記形状保持プレートの表面上に前記モジュール積層体を配置した状態で、一対の前記ダイアフラムシートの間に運ばれる、
太陽電池モジュールの製造方法。
【請求項２】
前記形状保持プレートは、
前記モジュール積層体と前記形状保持プレートとを重ねたときに前記モジュール積層体と重なり合う保持部と、
前記モジュール積層体と前記形状保持プレートとを重ねたときに前記モジュール積層体の端面の位置よりも外方に位置する延在部と、を有している、
請求項１に記載の太陽電池モジュールの製造方法。
【請求項３】
前記延在部は、前記モジュール積層体の一方の端面の位置よりも外方に位置する第１延在部と、前記モジュール積層体の他方の端面の位置よりも外方に位置する第２延在部と、を含み、
前記第１延在部および前記第２延在部は、同一平面上に位置している、
請求項２に記載の太陽電池モジュールの製造方法。
【請求項４】
前記延在部は、前記保持部と前記延在部との間の境界部分における曲率を保ったまま前記境界部分から前記延在部の外方端部に向かって延びている、
請求項２に記載の太陽電池モジュールの製造方法。
【請求項５】
前記モジュール積層体は、前記第１表面部材が前記形状保持プレートに接するように、前記形状保持プレート上に配置される、
請求項１から４のいずれか１項に記載の太陽電池モジュールの製造方法。
【請求項６】
前記形状保持プレートの表面のうちの前記モジュール積層体が配置される側の表面は、フッ素樹脂コーティングが施されている、
請求項１から５のいずれか１項に記載の太陽電池モジュールの製造方法。
【発明の詳細な説明】
【技術分野】
【０００１】
本発明は、太陽電池モジュールの製造方法および製造装置に関し、特に、太陽電池セルをラミネートする工程を含む太陽電池モジュールの製造方法および製造装置に関する。
【背景技術】
【０００２】
特開２００１−１０２６１４号公報（特許文献１）には、太陽電池セルをラミネートするという発明が開示されている。具体的には、強化ガラスおよび太陽電池セルを含むモジュール積層体を２枚のダイアフラムシートの間に挟み込み、ラミネート加工によってモジュール積層体を一体化するという発明が開示されている。
【０００３】
特開２０１０−１４９５０６号公報（特許文献２）にも、太陽電池セルをラミネートするという発明が開示されている。具体的には、太陽電池セルを含むモジュール積層体を加熱プレートの上に載置し、加熱プレートとダイアフラムシートとの間にモジュール積層体を挟み込み、ラミネート加工によってモジュール積層体を一体化するという発明が開示されている。同公報は、同公報に開示された発明は、湾曲した形状を有する太陽電池モジュールを作製する場合にも適用できると述べている。
【０００４】
ここで、ガラスの比重は樹脂の比重よりも大きい。太陽電池モジュール（太陽電池セル）をガラス製のパネルで支持する場合には、樹脂製のパネルを用いる場合に比べて重量が重くなりやすい。太陽電池モジュールをたとえば車両に搭載することを考えた場合には、ガラス製のパネルに比べて樹脂製のパネルを用いる方が、燃費を向上させたり、走行時の安定性を向上させたりするといったメリットが得られる。
【０００５】
近年、太陽電池モジュールが搭載される機器（車両や屋根など）のデザインおよび仕様が多様化してきており、平板状の太陽電池モジュールに限られず、湾曲した形状を有する太陽電池モジュールの開発が進められている。樹脂製のパネルは、ガラス製のパネルに比べて容易に作製（加工）できるため、湾曲した形状を有する太陽電池モジュールを実現するのにも有利である。
【先行技術文献】
【特許文献】
【０００６】
【特許文献１】特開２００１−１０２６１４号公報
【特許文献２】特開２０１０−１４９５０６号公報
【発明の概要】
【発明が解決しようとする課題】
【０００７】
本発明は、湾曲した樹脂製パネルを含む太陽電池モジュールを作製する際に、ラミネート加工の際に生じ得る樹脂製パネルの変形を抑制しつつ、異なるデザインを有する太陽電池モジュールに対しても比較的安価に対応できる太陽電池モジュールの製造方法および製造装置を提供することを目的とする。
【課題を解決するための手段】
【０００８】
本発明に基づく太陽電池モジュールの製造方法は、モジュール積層体と形状保持プレートとが重なるように、一対のダイアフラムシートの間にこれらを配置する工程を備え、
上記モジュール積層体は、一部または全体が湾曲したパネル状の形状を有する樹脂製の第１表面部材と、第１封止材と、太陽電池セルと、第２封止材と、第２表面部材とが順に重なり合うようにして構成され、上記形状保持プレートは、上記第１表面部材の形状に対応する表面形状を有しており、さらに、一対の上記ダイアフラムシートで上記モジュール積層体と上記形状保持プレートとを挟み込んで上記モジュール積層体にラミネート加工を施す工程と、一対の上記ダイアフラムシートを離間させたのち、ラミネート加工が施された上記モジュール積層体を上記形状保持プレートから離間させる工程と、を備える。
【０００９】
好ましくは、上記形状保持プレートは、上記モジュール積層体と上記形状保持プレートとを重ねたときに上記モジュール積層体と重なり合う保持部と、上記モジュール積層体と上記形状保持プレートとを重ねたときに上記モジュール積層体の端面の位置よりも外方に位置する延在部と、を有している。
【００１０】
好ましくは、上記延在部は、上記モジュール積層体の一方の端面の位置よりも外方に位置する第１延在部と、上記モジュール積層体の他方の端面の位置よりも外方に位置する第２延在部と、を含み、上記第１延在部および上記第２延在部は、同一平面上に位置している。
【００１１】
好ましくは、上記延在部は、上記保持部と上記延在部との間の境界部分における曲率を保ったまま上記境界部分から上記延在部の外方端部に向かって延びている。
【００１２】
好ましくは、上記形状保持プレートは、凹状に湾曲した表面を有し、当該表面上に上記モジュール積層体を配置した状態で、一対の上記ダイアフラムシートの間に運ばれる。
【００１３】
好ましくは、上記モジュール積層体は、上記第１表面部材が上記形状保持プレートに接するように、上記形状保持プレート上に配置される。
【００１４】
好ましくは、上記形状保持プレートの表面のうちの上記モジュール積層体が配置される側の表面は、フッ素樹脂コーティングが施されている。
【００１５】
本発明に基づく太陽電池モジュールの製造装置は、太陽電池セルを含むモジュール積層体にラミネート加工を施すための太陽電池モジュールの製造装置であって、一対のダイアフラムシートと、一部または全体が湾曲した表面形状を有する形状保持プレートと、を備え、上記モジュール積層体と上記形状保持プレートの湾曲部分とが重なるように、一対の上記ダイアフラムシートの間にこれらを配置し、一対の上記ダイアフラムシートで上記モジュール積層体と上記形状保持プレートとを挟み込んで上記モジュール積層体にラミネート加工を施し、一対の上記ダイアフラムシートを離間させたのち、ラミネート加工が施された上記モジュール積層体を上記形状保持プレートから離間させる。
【発明の効果】
【００１６】
形状保持プレートの存在により、ラミネート加工の際に生じ得る樹脂製パネル（第１表面部材）の変形を抑制することができる。形状保持プレートは板状の部材であり、加熱手段を内蔵する加熱プレートに比べて安価に準備しやすい。
【図面の簡単な説明】
【００１７】
【図１】実施の形態１における太陽電池モジュールの製造装置および製造方法（第１工程）を示す断面図である。
【図２】実施の形態１における太陽電池モジュールの製造方法（第２工程）を示す断面図である。
【図３】実施の形態１における太陽電池モジュールの製造方法（第３工程）を示す断面図である。
【図４】実施の形態１における太陽電池モジュールの製造方法（第４工程）を示す断面図である。
【図５】比較例１における太陽電池モジュールの製造装置および製造方法を説明するための断面図である。
【図６】比較例２における太陽電池モジュールの製造装置および製造方法を説明するための断面図である。
【図７】実施の形態２における太陽電池モジュールの製造装置および製造方法を説明するための断面図である。
【図８】実施の形態３における太陽電池モジュールの製造装置および製造方法を説明するための断面図である。
【図９】実施の形態４における太陽電池モジュールの製造装置および製造方法を説明するための断面図である。
【図１０】実施の形態５における太陽電池モジュールの製造装置および製造方法を説明するための断面図である。
【図１１】実施の形態６における太陽電池モジュールの製造装置および製造方法を説明するための断面図である。
【図１２】実施の形態７における太陽電池モジュールの製造装置および製造方法を説明するための断面図である。
【発明を実施するための形態】
【００１８】
実施の形態について、以下、図面を参照しながら説明する。同一の部品および相当部品には同一の参照番号を付し、重複する説明は繰り返さない場合がある。
【００１９】
［実施の形態１］
図１〜図４を参照して、実施の形態１における太陽電池モジュールの製造装置１００および製造方法について説明する。太陽電池モジュールの製造装置１００（以下、単に製造装置１００ともいう）は、太陽電池セル４３を含むモジュール積層体４０（図１〜図３）にラミネート加工を施すことによって太陽電池モジュール４８（図４）を作製する、いわゆるラミネーターとして機能する。
【００２０】
図１に示すように、製造装置１００は、上部チャンバ１０、下部チャンバ２０および形状保持プレート３０を備える。上部チャンバ１０および下部チャンバ２０は、それぞれ、ダイアフラムシート１１，２１、内蔵ヒーター１２，２２、基台１３，２３およびフレーム１４，２４を含む。フレーム１４の下端部には、排気システム１５およびシール部材１６が設けられる。
【００２１】
（ダイアフラムシート１１，２１）
ダイアフラムシート１１，２１は、フレーム１４，２４によってそれぞれ張架されている。ラミネート加工の際、ダイアフラムシート１１，２１の間に位置する空間と、ダイアフラムシート１１，２１の外側に位置する空間Ｓ１，Ｓ２（図３参照）との間には圧力差が設けられる。ダイアフラムシート１１，２１は、この圧力差によって伸長（膨張）し、モジュール積層体４０を上下から押圧する（図３に示す状態）。ダイアフラムシート１１，２１は、この圧力差に耐え得る強度および伸縮性を有しており、その素材としてはたとえばシリコンラバーなどの樹脂が用いられる。
【００２２】
（形状保持プレート３０）
形状保持プレート３０は、モジュール積層体４０に含まれる樹脂製パネル４１の形状（または完成品としての太陽電池モジュール４８の湾曲形状）に対応する表面形状を有しており、形状保持プレート３０の表面の一部または全体が、樹脂製パネル４１の形状（または完成品としての太陽電池モジュール４８の湾曲形状）に倣うように湾曲している。形状保持プレート３０は、ラミネート加工の際に生じ得る樹脂製パネル４１の変形を抑制するための部材であり、その素材としてはＦＲＰやアルミなど、耐熱性および強度を有する部材が用いられる。
【００２３】
本実施の形態の形状保持プレート３０は、延在部３１，３２と、延在部３１，３２の間に位置する保持部３３とを有している。延在部３１，３２は、保持部３３の両端から外方に向かってそれぞれ延びる形状を有している。保持部３３は、モジュール積層体４０と形状保持プレート３０とを重ねたときにモジュール積層体４０と重なり合う部分であり、滑らかな円弧状（凹状）に湾曲した表面形状を有している。
【００２４】
延在部３１（第１延在部）は、モジュール積層体４０と形状保持プレート３０とを重ねたときにモジュール積層体４０の一方の端面４０Ｅ（図２）の位置よりも外方（紙面左方）に位置する部分である。延在部３２（第２延在部）は、モジュール積層体４０と形状保持プレート３０とを重ねたときにモジュール積層体４０の他方の端面４０Ｆ（図２）の位置よりも外方（紙面右方）に位置する部分である。本実施の形態では、延在部３１，３２は同一平面上に位置している。
【００２５】
本実施の形態では、保持部３３の湾曲形状が断面視で凹状を呈するように形状保持プレート３０がセットされ（保持部３３が重力方向の下方に向かって凸となるように配置され）、保持部３３の上にモジュール積層体４０が配置される。図１に示すように、形状保持プレート３０およびモジュール積層体４０を断面視した場合、モジュール積層体４０の幅よりも保持部３３（形状保持プレート３０の湾曲部分）の幅の方が大きくなるようにこれらの幅寸法が設定されている。
【００２６】
（モジュール積層体４０）
モジュール積層体４０は、湾曲した形状を有する太陽電池モジュール４８の前駆体である。具体的には、モジュール積層体４０は、一部または全体が湾曲したパネル状の形状を有する樹脂製パネル４１（第１表面部材）と、受光面側封止材４２（第１封止材）と、１枚または複数枚の太陽電池セル４３と、裏面側封止材４４（第２封止材）と、裏面シート４５（第２表面部材）とが順に重なり合うようにして構成される。
【００２７】
なお、ここで言う「重なり合う」の技術的意義は、下から上に向かって順に積み重ねることを意味する「積層」といった用語よりも広い概念を有するものである。ここで言う「重なり合う」とは、第１表面部材、第１封止材、太陽電池セル、第２封止材および第２表面部材が重力方向の下から上に向かってこの順で並んでいる構成を含むだけでなく、第１表面部材、第１封止材、太陽電池セル、第２封止材および第２表面部材が重力方向の上から下に向かってこの順で並んでいる構成をも含むものである。並ぶ方向の上下は問わないものである。
【００２８】
本実施の形態では、樹脂製パネル４１（第１表面部材）が形状保持プレート３０に接するように（樹脂製パネル４１がモジュール積層体４０の中で最も下方に位置するように）、モジュール積層体４０は形状保持プレート３０上に配置される。これに限られず、裏面シート４５（第２表面部材）が形状保持プレート３０に接するように（裏面シート４５がモジュール積層体４０の中で最も下方に位置するように）、モジュール積層体４０が形状保持プレート３０上に配置されても構わない。
【００２９】
樹脂製パネル４１は、透明性または透光性を有しており、その湾曲形状は、太陽電池モジュール４８（図４）が搭載される機器（車両や屋根など）のデザインおよび仕様などに応じて適宜決定される。樹脂製パネル４１を構成する樹脂材料としては、たとえばポリカーボネート樹脂、アクリル樹脂やＰＥＴ樹脂、塩化ビニル樹脂などがあり、使用環境に合わせて適宜選択される。太陽光は、樹脂製パネル４１を通過して太陽電池セル４３に到達する。樹脂製パネル４１の外表面には、必要に応じてハードコートなどがコーティングされる。
【００３０】
受光面側封止材４２および裏面側封止材４４は、太陽電池セル４３や配線（図示せず）などを封止して、水分浸入や衝撃からこれらを保護するものである。受光面側封止材４２および裏面側封止材４４としては、ＥＶＡ（エチレン酢酸共重合体）、ＰＶＢ（ポリビニルブチラノール）、またはシリコーン樹脂などが使用される。
【００３１】
なお、本実施の形態では、太陽電池セル４３から見て樹脂製パネル４１の側に受光面側封止材４２が位置し、太陽電池セル４３から見て裏面シート４５の側に裏面側封止材４４が位置している。換言すると、第１表面部材としての樹脂製パネル４１が太陽電池セル４３の受光面側に配置され、第２表面部材としての裏面シート４５が太陽電池セル４３の裏面側に配置されている。この構成に限られず、第１表面部材としての樹脂製パネル４１は、太陽電池セル４３の受光面側に配置されていなくてもよく、第２表面部材（たとえば樹脂シートや他の樹脂製パネルなど）が太陽電池セル４３の受光面側に配置されていても構わない。したがって、一部または全体が湾曲したパネル状の形状を有する樹脂製の第１表面部材と、第１封止材と、太陽電池セルと、第２封止材と、第２表面部材とが順に重なり合うようにして構成されたモジュール積層体であれば、どんなものであっても本実施の形態に適用することができるものである。
【００３２】
（太陽電池モジュールの製造方法）
図１および図２に示すように、まず、モジュール積層体４０の湾曲部分と形状保持プレート３０の湾曲部分とが重なるように、一対のダイアフラムシート１１，２１の間にこれらを配置する。上述の通り、本実施の形態では、樹脂製パネル４１が形状保持プレート３０に接するように（樹脂製パネル４１がモジュール積層体４０の中で最も下方に位置するように）、モジュール積層体４０が形状保持プレート３０上に配置される。
【００３３】
好ましくは、形状保持プレート３０の表面上にモジュール積層体４０を配置した（載せた）状態で、形状保持プレート３０およびモジュール積層体４０を一対のダイアフラムシート１１，２１の間に搬送するとよい。搬送の際には、形状保持プレート３０の延在部３１，３２をロボットハンドなどで把持してもよい。搬送のために延在部３１，３２を活用できると便利である。
【００３４】
図３を参照して、排気システム１５を用いて排気することにより、ダイアフラムシート１１，２１の間に位置する空間を減圧する。ダイアフラムシート１１，２１の外側に位置する空間Ｓ１，Ｓ２は、大気圧に設定される。圧力差によってダイアフラムシート１１，２１は伸長（膨張）し、ダイアフラムシート１１，２１の間に配置されたモジュール積層体４０と形状保持プレート３０とは上下から押圧される。
【００３５】
ダイアフラムシート１１，２１でモジュール積層体４０と形状保持プレート３０とを挟み込んだ状態で、モジュール積層体４０の受光面側封止材４２および裏面側封止材４４は、内蔵ヒーター１２，２２からの熱を受ける。受光面側封止材４２および裏面側封止材４４は一体化し、封止材４６（図４参照）を形成する。太陽電池セル４３や配線は、樹脂製パネル４１と裏面シート４５との間において封止材４６によって封止される。
【００３６】
その後、圧力差をなくし、ダイアフラムシート１１，２１を離間させたのち、ラミネート加工が施されたモジュール積層体４０（完成品としての太陽電池モジュール４８）を形状保持プレート３０から離間させる。以上のようにして、太陽電池モジュール４８が得られる。モジュール積層体４０（完成品としての太陽電池モジュール４８）を形状保持プレート３０から離間させやすいように、形状保持プレート３０の表面のうちのモジュール積層体４０が配置される側の表面（保持部３３の表面）には、フッ素樹脂コーティングが施されているとよい。
【００３７】
（作用および効果）
ラミネート加工の際、２枚のダイアフラムシート１１，２１によってモジュール積層体４０は挟み込まれる。湾曲した形状を有する樹脂製パネル４１は、平面に近づくように変形させられるような力を受ける。樹脂製パネル４１は、温度が上がると変形しやすくなるが、形状保持プレート３０の存在により、ラミネート加工の際に生じ得る樹脂製パネル４１の変形を抑制することができる。したがって、所望の湾曲形状を有する太陽電池モジュール４８を得ることが可能となる。
【００３８】
［比較例１］
図５は、比較例１における太陽電池モジュールの製造装置１０１ａおよび製造方法を説明するための断面図である。比較例１においては、実施の形態１の場合とは異なり、形状保持プレート３０が用いられない。ラミネート加工の際、２枚のダイアフラムシート１１，２１によってモジュール積層体４０は挟み込まれる。湾曲した形状を有する樹脂製パネル４１は、平面に近づくように変形させられるような力を受ける（白色矢印参照）。
【００３９】
樹脂製パネル４１は、温度が上がると変形しやすくなるため、ラミネートのための加熱によって樹脂製パネル４１は所定形状を維持できなくなり、その結果、所望の湾曲形状を有する太陽電池モジュールを得ることができなくなることが考えられる。
【００４０】
［比較例２］
図６は、比較例２における太陽電池モジュールの製造装置１０１ｂおよび製造方法を説明するための断面図である。比較例２においては、実施の形態１の場合とは異なり、ダイアフラムシート１１と加熱プレート３０Ｚとが用いられる。加熱プレート３０Ｚの表面３０Ｓは、樹脂製パネル４１の形状（または完成品としての太陽電池モジュールの湾曲形状）に倣うように湾曲している。
【００４１】
当該構成によれば、樹脂製パネル４１がラミネート加工の際に加熱されたとしても、熱の影響を低減することができる。すなわち、ダイアフラムシート１１と加熱プレート３０Ｚとの間でラミネート加工が行われる際に、加熱プレート３０Ｚの表面３０Ｓは、樹脂製パネル４１に生じ得る変形を抑制する形状保持手段として機能する。しかしながら、この手法は、太陽電池モジュールのデザイン（曲率）および仕様などの変更が生じた場合に、安価に対応することが難しい。異なるデザイン（曲率）などに応じた個別の加熱プレートを複数準備することは、設備投資の増大につながるからである。
【００４２】
［実施の形態１と比較例１，２との比較］
実施の形態１において用いられる形状保持プレート３０は、樹脂製パネル４１に生じ得る変形を抑制する形状保持手段として機能する。さらに、形状保持プレート３０は、板状の部材であり、比較例２や、冒頭で述べた特開２０１０−１４９５０６号公報（特許文献２）に開示されたような、加熱手段を内蔵する加熱プレートに比べて安価に準備しやすく、異なるデザイン（曲率）などに応じて柔軟に対応することができると言える。
【００４３】
［実施の形態２］
図７を参照して、形状保持プレートは、板状であるが故に加工ないし作製が容易であり、太陽電池モジュールの製造装置１０２（形状保持プレート３０Ａ）としても実施することができる。太陽電池モジュールの製造装置１０２は、異形状を有するモジュール積層体４０Ａから太陽電池モジュールを作製する。形状保持プレート３０Ａにおいては、保持部３３がおおよそＳ字状に湾曲している。これは、完成品としての太陽電池モジュールの形状に対応している。形状保持プレートを用いるという思想によれば、異形状（Ｓ字状）の樹脂製パネル４１を太陽電池セル４３とラミネートする場合にも柔軟に適用できるものである。
【００４４】
［実施の形態３］
図８に示す太陽電池モジュールの製造装置１０３においては、延在部を有していない形状保持プレート３０Ｂが用いられる。当該構成によっても、形状保持プレート３０Ｂ（保持部３３）の存在により、ラミネート加工の際に生じ得る樹脂製パネル４１の変形を抑制することができる。延在部を有していない分、実施の形態１，２に比べてより安価に形状保持プレートを準備できる。なお、図８および後述する図９〜図１２には、便宜上のため上部チャンバ１０を記載していないが、実施の形態１と同様のものを用いることができる。
【００４５】
［実施の形態４］
図９に示す太陽電池モジュールの製造装置１０４においては、形状保持プレート３０Ｃが用いられる。保持部３３と延在部３１，３２との間の境界部分３５Ｅ，３５Ｆにおける曲率をＲとすると、形状保持プレート３０Ｃの延在部３１，３２は、曲率Ｒの値を保ったまま、境界部分３５Ｅ，３５Ｆから延在部３１，３２の外方端部に向かって延びている。当該構成によっても、上記の実施の形態１〜３と同様の効果を得ることができる。延在部３１，３２の延びる方向は、ダイアフラムシート１１，２１からモジュール積層体４０に作用する押圧力に影響するため、より適切な封止を実現できるように最適化するとよい。
【００４６】
［実施の形態５］
図１０に示す太陽電池モジュールの製造装置１０５においては、形状保持プレート３０Ｄが用いられる。形状保持プレート３０Ｄも、モジュール積層体４０に含まれる樹脂製パネル４１の形状（または完成品としての太陽電池モジュールの湾曲形状）に対応する表面形状を有しており、樹脂製パネル４１の形状（または完成品としての太陽電池モジュール４８の湾曲形状）に倣うように湾曲している。形状保持プレートを用いるという思想によれば、実施の形態１の場合とは逆向き湾曲する樹脂製パネル４１を太陽電池セル４３とラミネートする場合にも柔軟に適用できるものである。
【００４７】
また、当該構成の場合には、裏面シート４５が図示しないダイアフラムシート１１の側（紙面上側）に向かって凸状を呈しているため、ダイアフラムシート１１と裏面シート４５とを密着させやすくなる。モジュール積層体４０とダイアフラムシート１１との間に隙間が生じにくいため、モジュール積層体４０を十分に押圧した状態でラミネート加工を実施することが可能となる。
【００４８】
［実施の形態６］
図１１に示す太陽電池モジュールの製造装置１０６においては、形状保持プレート３０Ｅが用いられる。本実施の形態では、形状保持プレート３０Ｅの保持部３３およびモジュール積層体４０は、いずれもダイアフラムシート２１の側に向かって凸状に湾曲しており、モジュール積層体４０と形状保持プレート３０Ｅとの上下関係は、実施の形態５の場合とは真反対になっている。当該構成であっても、形状保持プレート３０Ｅ（保持部３３）の存在により、ラミネート加工の際に生じ得る樹脂製パネル４１の変形を抑制することができる。
【００４９】
［実施の形態７］
図１２に示す太陽電池モジュールの製造装置１０７においては、形状保持プレート３０Ｆが用いられる。本実施の形態では、形状保持プレート３０Ｆの保持部３３およびモジュール積層体４０は、いずれも図示しないダイアフラムシート１１の側に向かって凸状に湾曲しており、モジュール積層体４０と形状保持プレート３０Ｆとの上下関係は、実施の形態１の場合とは真反対になっている。当該構成であっても、形状保持プレート３０Ｆ（保持部３３）の存在により、ラミネート加工の際に生じ得る樹脂製パネル４１の変形を抑制することができる。
【００５０】
［他の実施の形態］
上述の各実施の形態では、樹脂製パネル４１が形状保持プレートに接するように、モジュール積層体４０と形状保持プレートとが重ねあわされる。この構成に限られず、裏面シート４５が形状保持プレートに接するように、モジュール積層体４０と形状保持プレートとが重ねあわされてもよい。当該構成であっても、形状保持プレート（保持部３３）の存在により、ラミネート加工の際に生じ得る樹脂製パネル４１の変形を抑制することができる。
【００５１】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５２】
１０  上部チャンバ、１１，２１，２２  ダイアフラムシート、１２，２２  内蔵ヒーター、１３，２３  基台、１４，２４  フレーム、１５  排気システム、１６  シール部材、２０  下部チャンバ、３０，３０Ａ，３０Ｂ，３０Ｃ，３０Ｄ，３０Ｅ，３０Ｆ  形状保持プレート、３０Ｓ  表面、３０Ｚ  加熱プレート、３１  延在部（第１延在部）、３２  延在部（第２延在部）、３３  保持部、３５Ｅ，３５Ｆ  境界部分、４０，４０Ａ  モジュール積層体、４０Ｅ，４０Ｆ  端面、４１  樹脂製パネル、４２  受光面側封止材、４３  太陽電池セル、４４  裏面側封止材、４５  裏面シート、４６  封止材、４８  太陽電池モジュール、１００，１０１ａ，１０１ｂ，１０２，１０３，１０４，１０５，１０６，１０７  太陽電池モジュールの製造装置、Ｓ１，Ｓ２  空間。
【図１】
0006365321.tif 000002
【図２】
0006365321.tif 000003
【図３】
0006365321.tif 000004
【図４】
0006365321.tif 000005
【図５】
0006365321.tif 000006
【図６】
0006365321.tif 000007
【図７】
0006365321.tif 000008
【図８】
0006365321.tif 000009
【図９】
0006365321.tif 000010
【図１０】
0006365321.tif 000011
【図１１】
0006365321.tif 000012
【図１２】
0006365321.tif 000013